(57)【特許請求の範囲】
【請求項１】
プラスチック等から形成されたケースと、このケース内に配置された制御基板と、この制御基板の上方に配置された液晶表示ユニットと、この液晶表示ユニットの少なくとも液晶表示部の上面に重畳配置されたタブレットと、このタブレットの上方に配置され、前記ケースに取付けられる額縁状のカバーと、このカバーあるいは前記ケースに回転自在に設けられ、液晶表示ユニットの少なくとも液晶表示部を被う保護カバーとを有する可搬形情報処理装置において、
前記ケースの左側端部の左手握り部に重量物であるバッテリを内装し、
前記額縁状のカバーの左方部に設けたポインティングデバイスと、同じくケース裏面の左方部に設けた確定あるいは解除等の指示スイッチとを有し、前記保護カバーを前記額縁状カバーの上面からケースの裏面まで開閉できるようにすると共に、この保護カバーはケース裏面に開いたとき前記指示スイッチを被う大きさの寸法としてある可搬形情報処理装置。
【請求項２】
プラスチック等から形成されたケースと、このケース内に配置された制御基板と、この制御基板の上方に配置された液晶表示ユニットと、この液晶表示ユニットの少なくとも液晶表示部の上面に重畳配置されたタブレットと、このタブレットの上方に配置され、前記ケースに取付けられる額縁状のカバーと、このカバーあるいは前記ケースに回転自在に設けられ、液晶表示ユニットの少なくとも液晶表示部を被う保護カバーとを有する可搬形情報処理装置において、
前記ケースの左側端部の左手握り部に重量物であるバッテリを内装し、
前記額縁状のカバーの左方部に設けたポインティングデバイスと、同じくケース裏面の左方部に設けた確定あるいは解除等の指示スイッチとを有し、前記保護カバーを前記額縁状のカバーの左方部に設けたポインティングデバイスを除く部分を被う大きさとし、且つこの保護カバーには少なくとも前記液晶表示部を臨めるように透明部分を有しているものである可搬形情報処理装置。
【請求項３】
プラスチック等から形成されたケースと、このケース内に配置された制御基板と、この制御基板の上方に配置された液晶表示ユニットと、この液晶表示ユニットの少なくとも液晶表示部の上面に重畳配置されたタブレットと、このタブレットの上方に配置され、前記ケースに取付けられる額縁状のカバーと、このカバーあるいは前記ケースに回転自在に設けられ、液晶表示ユニットの少なくとも液晶表示部を被う保護カバーとを有する可搬形情報処理装置において、
前記ケースの左側端部の左手握り部に重量物であるバッテリを内装し、
前記額縁状のカバーの左方部に設けたポインティングデバイスと、同じくケース裏面の左方部に設けた確定あるいは解除等の指示スイッチとを有し、前記保護カバーを前記額縁状のカバーの左方部に設けたポインティングデバイスを除く部分を被うと共に、前記指示スイッチを被う大きさの寸法とし、且つこの保護カバーは少なくとも前記液晶表示部を臨めるように透明にしているものである可搬形情報処理装置。
【発明の詳細な説明】
【０００１】
【発明の属する技術分野】
本発明は液晶表示部とペン入力が可能なタブレットを有し、特に片手操作可能で携帯に便利な可搬形の情報処理装置に関する。
【０００２】
【従来の技術】
従来片手操作可能な情報処理装置として実開平５−１２９５７号公報に記載された考案が知られている。
【０００３】
そして、この公報には、携帯型情報処理装置の右側に保持部を設け、この保持部を利き手である右手で保持し、右手で保持部を保持した状態でカーソル移動入力装置や選択指示スイッチを操作できるように構成した携帯型情報処理装置が記載されている。
【０００４】
【発明が解決しようとする課題】
しかし、前記公開公報に記載された携帯型情報処理装置の表示部は、表示専用であり、その表面は硬質のガラスあるいはプラスチックで被われており、表示部に保護カバーを必要としない構成になっている。
【０００５】
しかし、この公報に記載された携帯型情報処理装置は、本発明のように液晶表示部の上面に入力装置としてのタブレットを有する情報処理装置を対象としていない。
【０００６】
入力装置としてのタブレットは、比較的軟質な薄いシートで構成されていることから損傷しやすく、タブレット（液晶表示部）を被う保護カバーを必要とする。
【０００７】
この保護カバーは装置全体を被う大きさでしかも不透明になっているのが一般的である。
【０００８】
しかし、保護カバーを装置全体を被う大きさ及び不透明とすると、操作する度毎に保護カバーを開かなければならないという煩わしさがあり、特に片手操作を指向するこの種情報処理装置では利便性を欠如しているものである。
【０００９】
又、この公報に記載された携帯型情報処理装置のカーソル移動入力装置や選択指示スイッチは、机上に置いて使用する場合等において不用意に押圧，操作されることがあり、装置の誤動作が免れない構成になっている。
【００１０】
前記に着目し、本発明は入力装置としてのタブレットと、これを保護する保護カバーを有する情報処理装置において、保護カバーの開動作に依存しないでの片手操作の操作性を向上し、片手保持状態でのペン入力を可能とし、又、ポインティングデバイスや指示スイッチの誤動作を防止して誤入力を回避する可搬形情報処理装置を提供することを目的としなされたものである。
【００１１】
本発明にかかる可搬形情報処理装置は、プラスチック等から形成されたケースと、このケース内に配置された制御基板と、この制御基板の上方に配置された液晶表示ユニットと、この液晶表示ユニットの少なくとも液晶表示部の上面に重畳配置されたタブレットと、このタブレットの上方に配置され、前記ケースに取付けられる額縁状のカバーと、このカバーあるいは前記ケースに回転自在に設けられ、液晶表示ユニットの少なくとも液晶表示部を被う保護カバーとを有し、前記ケースの左側端部の左手握り部に重量物であるバッテリを内装し、前記額縁状のカバーの左方部に設けたポインティングデバイスと、同じくケース裏面の左方部に設けた確定あるいは解除等の指示スイッチとを有し、前記保護カバーを前記額縁状カバーの上面からケースの裏面まで開閉できるようにすると共に、この保護カバーはケース裏面に開いたとき前記指示スイッチを被う大きさの寸法とする。
また、本発明にかかる可搬形情報処理装置は、前記保護カバーを前記額縁状のカバーの左方部に設けたポインティングデバイスを除く部分を被う大きさとし、且つこの保護カバーには少なくとも前記液晶表示部を臨めるように透明部分を有していることを特徴とする。
また、本発明にかかる可搬形情報処理装置は、前記保護カバーを前記額縁状のカバーの左方部に設けたポインティングデバイスを除く部分を被うと共に、前記指示スイッチを被う大きさの寸法とし、且つこの保護カバーは少なくとも前記液晶表示部を臨めるように透明にしていることを特徴とする。
【００１３】
【発明の実施の形態】
以下図面を基に本発明の一実施の形態を説明する。
【００１４】
１はタブレット入力の情報処理装置を示す。２はプラスチックで形成される薄箱形のケース、３はこのケースの底に配置された制御基板、４はケースの左方に配置されたバッテリー、５は液晶表示部、６はこの液晶表示部５の上面に配置されたタブレットで、ペン操作等による感圧により位置を検出でき、軟質材料から構成されているものである。７は前記構成要素の周辺をカバーし、前記ケースの上端縁に取付けられている額縁上のカバーで、プラスチックから構成されている。
【００１５】
前記バッテリー４は装置の左側で手持ち部に設けられている。これはバッテリー４が構成要素で最も大重量を有しているもので、これを手持ち部に配置すれば片手持時の装置全体の重量感をやわらげ、片手持ちし易くする効果を有する。又、冬期においては手の温もりがバッテリー４を温め、バッテリーの性能を高め、バッテリー消耗により使用できなくなるのを救済できる効果も期待できる。
【００１６】
１０は前記タブレットの上面を覆う保護カバーでヒンジ１１を介して前記ケース２に回動可能に取付けられている。この保護カバー１０は、保護カバーを前記液晶表示部状に閉じた状態においても前記液晶表示部を望めるようにタブレット６（液晶表示部５）を覆う部分に透明な部分１２を設けているか、あるいは保護カバーそのものを透明な合成樹脂によって形成し、その全部を透明に構成してもよい。
【００１７】
前記保護カバーは上面からケースの裏面まで開閉できるようにすると共に、この保護カバーはケース裏面に開いたとき後述する本体表側のポインティングデバイスを除き、同じく後述する裏側の指示スイッチを被う大きさの寸法としてある。
【００１８】
従って、保護カバーを閉じているときでも後述する本体表側のポインティングデバイスや指示スイッチの操作が可能になる。
【００１９】
制御基板３には図９に示たように、ＣＰＵ，メインメモリー，プログラムメモリー，液晶コントローラー，タブレットコントローラー，スイッチ制御回路，電源回路，本体表側のポインティングデバイス，同じく裏側の指示スイッチ，切替えスイッチ、およびスイッチ制御回路等を実装あるいはそれぞれの構成要素に相当する電気回路等を配置している。
【００２０】
液晶表示部５に表示するカーソル１３を移動するための前記ポインティングデバイスは符号１５で示され、装置表面のカバー７に設けられている。又、ポインティングデバイス１５で指示された位置を確定したりあるいは解除する指示スイッチ２０はケース２の裏面に設けられている。このうち確定スイッチは、カーソル１３によって指示された液晶表示部５のアイコンの内容に基づく情報処理コマンド１８を実行するためのものである。この指示スイッチ２０は確定スイッチと解除スイッチを別々に構成するのが一般的であるが、１つのスイッチで１回目の操作で確定指示し、２回の連続操作で解除するように構成してもよい。
【００２１】
これらのポインティングデバイス１５と指示スイッチ２０は、何れも装置の左側の片手操作可能な位置に設け、左手でのポインティングデバイス１５と指示スイッチ２０の操作を可能にすると共に、更に左手によるこの片手保持時に右手によるペン入力を可能にし、操作性の向上を図っているものである。
【００２２】
これらのポインティングデバイス１５と指示スイッチ２０はその取付け位置を表裏反対に設けることができ、この時は図９の切替えスイッチで正常な動作するようにポインティングデバイス１５と指示スイッチ２０を切替えて使用する。
【００２３】
又、ポインティングデバイス１５と指示スイッチ２０は表裏の位置が一致しているものでなく、片手の指操作が容易な位置に、即ち、ズレた位置に互いを配置し、操作性の向上を図るようにしている。
【００２４】
又ポインティングデバイス１５及び指示スイッチ２０のそれぞれに対応したケース２及びカバー７の位置に操作穴２１を設ける。
【００２５】
この操作穴２１とポインティングデバイス１５、指示スイッチ２０はケース２及びカバー７の表面から突出しないようにそれぞれ装置内側に向けて埋没状態に設けられている。
【００２６】
又、本発明は携帯形の情報処理装置に適用されることから電源としてバッテリー４が使用され、これより電力を供給し、制御回路や液晶を駆動させ、タブレット６からの信号を処理するという構成となっている。
【００２７】
尚、前記構成には電源スイッチは図示していないが、装置左側面の切替スイッチ２６の近傍に設けてあり、これも片手操作できるものとなっている。
【００２８】
次に本実施形態の作用と効果を説明する。
【００２９】
操作者は通常情報処理装置の具備する専用ペンでタブレット６を操作し情報を入力、又液晶表示部に表示をすることで所望の情報処理を実行する。
【００３０】
又、操作者には単に情報の確認から簡単な入力作業を所望することがある。例えば時刻やスケジュールの新既入力や訂正すること等が考えられる。
【００３１】
これらの操作に際して従来は、図１０，図１１に示す如く、先ず情報処理装置２８のカバー２２を開けて、専用ペン２３を取り出し、次いでタブレット２９の操作をするようにされているので、単純な確認であってもカバーの開閉動作を伴い一連の操作が大変煩わしいものとなっている。
【００３２】
しかしながら本実施形態では図１，図２，図３に示す如く、ポインティングデバイス１５及び指示スイッチ２０を情報処理装置１の表裏に設けることにより、ポインティングデバイス１５を動かすことで表示中のカーソル１３を移動させ、指示スイッチ２０を押すことで所望の情報処理を机上でなくとも装置を持ったまま片手で操作することができる。
【００３３】
又、図１に示す如く保護カバー１０に透明部分１２を設けたので、操作者は保護カバー１０を閉じたまま液晶表示部５を臨むことができるので、上述した簡単な確認などは、保護カバー１０を開くことなく片手操作で行うことができ、大変使い勝手が良いという効果がある。
【００３４】
又、図７に示すように操作者は電源を投入したときに、初期の設定としてポインティングデバイス１５の位置が液晶表示面２７側にあるため、指示スイッチ  ２０の位置と切り替えを操作者に聞いてくるようになっており、操作者は切替スイッチ２６で位置の決定をすることができる。従って、ユーザーの好みに応じてポインティングデバイス１５をケース２の裏側に、指示スイッチ２０をカバー７側に設けることができる。
【００３５】
又、表側にあるポインティングデバイス１５と裏側にある指示スイッチ２０を液晶表示面２７から見て同一位置上からズラすことは、以下に示す理由で操作性を更に向上することができる。
【００３６】
操作者は図１，図２のように情報処理装置１を片手で保持したまま操作できるため、ポインティングデバイス１５を押すとき親指に所定の力を加える必要がある。このときに情報処理装置１の裏側を保持する指がその力を受けとめるため、反射的にその反力が発生する。ポインティングデバイス１５と指示スイッチ  ２０が液晶表示面２７から見て同一位置に合ったならば装置１を保持している状態で指が指示スイッチ２０に接触している可能性は大きく、その指で、指示スイッチ２０を押してしまうことが考えられる。これでは操作者の意図する情報処理操作ができない恐れがある。
【００３７】
従って、両者の位置をズラすことは、操作性を向上する有効な手段といえる。
又、図４のように保護カバー１０を開けて装置１の裏側に折り返したとき覆われる位置に指示スイッチ２０を配置すれば、操作者が専用ペン２３でタブレット６の特定位置を指示するときに、その指示スイッチ２０を使用できなくすることで二重の指示（専用ペンでの指示はポインティングデバイスと指示スイッチの両方の機能を同時に備える）を回避することができ、これによって誤動作を防止でき、正常な入力，変更処理操作をもたらすことができる。
【００３８】
又、保護カバー１０を折り曲げなくても、例えば机上に置いて作業をする場合も指示スイッチ２０が隠れるものであり、操作者は操作できないことには変わりはないため、情報処理コマンド１８の選定において専用ペン２３で指示するものが唯一のものであり、前述のように誤動作しない操作を実現することが可能となる。以上本実施形態によれば、入力装置としてのタブレットと、これを保護する保護カバーを有する情報処理装置において、保護カバーの開動作に依存しないでの片手操作の操作性を向上し、片手保持状態でのペン入力を可能と、ポインティングデバイスや指示スイッチの誤動作を防止して誤入力を回避することができる。
【００３９】
【発明の効果】
本発明によれば、操作性を向上した可搬形情報処理装置を提供することができる。
【図面の簡単な説明】
【図１】本発明の実施形態に係る情報処理装置の使用状態を示す斜視図。
【図２】同じく情報処理装置を裏面から見た斜視図。
【図３】同じく専用ペン使用状態の斜視図である。
【図４】同じく情報処理装置の保護カバーを装置裏面に開いた状態の斜視図である。
【図５】同じく情報処理装置の分解斜視図。
【図６】同じく情報処理装置の断面図。
【図７】同じく情報処理装置の動作のフローチャート。
【図８】切替スイッチを設けた情報処理装置の斜視図。
【図９】切替スイッチを具備する情報処理装置のブロック図。
【図１０】従来の情報処理装置を使用している状態の斜視図。
【図１１】同じく従来の情報処理装置を両手で使用している状態の斜視図。
【符号の説明】
１…情報処理装置、２…ケース、３…制御基板、５…液晶表示部、６…タブレット、７…カバー、１０…保護カバー、１２…透明部、１３…カーソル、１５…ポインティングデバイス、１８…情報処理コマンド、２０…指示スイッチ。
【図１】
0003630503.tif 000002
【図２】
0003630503.tif 000003
【図３】
0003630503.tif 000004
【図４】
0003630503.tif 000005
【図５】
0003630503.tif 000006
【図６】
0003630503.tif 000007
【図７】
0003630503.tif 000008
【図８】
0003630503.tif 000009
【図９】
0003630503.tif 000010
【図１０】
0003630503.tif 000011
【図１１】
0003630503.tif 000012